(57)【要約】  スペクトル拡散通信ネットワーク（１００）において移動端末（１０８）に対してパケットデータの送信サービスを行う方法であって、当該方法は、送信局（１０２）において、ダウンリンク通信チャネル（１１４）を介して指示メッセージをセルに送信し、前記指示メッセージは前記移動端末（１０８）が利用可能なパケットデータ送信サービスを通知するものであり、前記移動端末（１０８）において、前記通信チャネル（１１４）において前記指示メッセージをモニタリングし、前記指示メッセージを受信すると、アップリンクコンテンションチャネル（１１６）を介して前記指示メッセージの検出を前記送信局（１０２）に対して知らせ、前記送信局（１０２）において、コンテンションが終了すると、前記通信チャネル（１１４）を介して前記移動端末（１０８）に対してパケットデータ送信サービスのコンフィギュレーション情報を送信する過程を備える。【選択図】  図１
2009506581.tif 000002
【特許請求の範囲】
【請求項１】
スペクトル拡散通信ネットワークにおいて移動端末に対してパケットデータの送信サービスを行う方法であって、
基地局において、ダウンリンク通信チャネルを介して指示メッセージをセルに送信し、前記指示メッセージは前記移動端末が利用可能なパケットデータ送信サービスを通知するものであり、
前記移動端末において、前記通信チャネルにおいて前記指示メッセージをモニタリングし、前記指示メッセージを受信すると、アップリンクコンテンションチャネルを介して前記指示メッセージの検出を前記基地局に対して知らせ、
前記基地局において、コンテンションが終了すると、前記通信チャネルを介して前記移動端末に対してパケットデータ送信サービスのコンフィギュレーション情報を送信する方法。
【請求項２】
定期的に前記移動端末をアクティブ状態にし、前記指示メッセージ用の前記通信チャネルをモニターさせる過程と、
前記指示メッセージが検出されないときには、前記移動端末を非アクティブ状態にする過程と、
をさらに備えることを特徴とする請求項１に記載の方法。
【請求項３】
前記基地局において、ダウンリンク共有制御チャネルを介して、前記移動端末に対して、前記パケットデータ送信サービスの制御情報を送信する過程をさらに備えることを特徴とする請求項１または２に記載の方法。
【請求項４】
前記基地局において、ダウンリンク共有データチャネルを介して、前記移動端末に対して、前記パケットデータ送信サービスのデータを送信する過程をさらに備えることを特徴とする請求項１乃至３の何れか一項に記載の方法。
【請求項５】
前記移動端末において、アップリンク共有スケジュールチャネルを介して、前記基地局に対して、チャネルの品質測定結果を送信し、情報を報知する過程をさらに備えることを特徴とする請求項１乃至４の何れか一項に記載の方法。
【請求項６】
前記基地局から前記移動端末へのパケットデータ送信制御情報の送信を停止する過程と、
前記移動端末において所定の時間内に前記パケットデータ送信制御情報を検出できないときに、パケットデータ送信サービスを終了する過程と、をさらに備えることを特徴とする請求項１乃至５の何れか一項に記載の方法。
【請求項７】
前記基地局において、パケットデータ送信制御情報のパケットのヘッダに終了メッセージを挿入することにより、パケットデータ送信サービスを終了することを前記移動端末に報知する過程と、
前記移動端末において前記終了メッセージを検出したときに、パケットデータ送信サービスを終了する過程と、をさらに備えることを特徴とする請求項１乃至５の何れか一項に記載の方法。
【請求項８】
前記移動端末は携帯電話からなるものであることを特徴とする請求項１乃至７の何れか一項に記載の方法。
【請求項９】
スペクトル拡散通信ネットワークにおいて移動端末に対してパケットデータの送信サービスを行うために基地局の作動を制御する方法であって、
ダウンリンク通信チャネルを介して指示メッセージをセルに送信し、前記指示メッセージは前記移動端末が利用可能なパケットデータ送信サービスを通知するものであり、前記移動端末は、前記通信チャネルにおいて前記指示メッセージをモニタリングし、前記指示メッセージを受信すると、アップリンクコンテンションチャネルを介して前記指示メッセージの検出を前記基地局に対して知らせ、
コンテンションが終了すると、前記通信チャネルを介して前記移動端末に対してパケットデータ送信サービスのコンフィギュレーション情報を送信する方法。
【請求項１０】
ダウンリンク共有制御チャネルを介して、前記移動端末に対して、前記パケットデータ送信サービスの制御情報を送信する過程をさらに備えることを特徴とする請求項９に記載の方法。
【請求項１１】
ダウンリンク共有データチャネルを介して、前記移動端末に対して、前記パケットデータ送信サービスのデータを送信する過程をさらに備えることを特徴とする請求項９または１０に記載の方法。
【請求項１２】
前記移動端末へのパケットデータ送信制御情報の送信を停止する過程と、
前記移動端末において所定の時間内に前記パケットデータ送信制御情報を検出できないときに、パケットデータ送信サービスを終了する過程と、をさらに備えることを特徴とする請求項９、１０または１１に記載の方法。
【請求項１３】
パケットデータ送信制御情報のパケットのヘッダに終了メッセージを挿入することにより、パケットデータ送信サービスを終了することを前記移動端末に報知する過程と、
前記移動端末において前記終了メッセージを検出したときに、パケットデータ送信サービスを終了する過程と、をさらに備えることを特徴とする請求項９乃至１２の何れか一項に記載の方法。
【請求項１４】
請求項９乃至１３の何れか一項に記載の方法を、基地局内に設置されたコンピュータに実行させるためのプログラム。
【請求項１５】
スペクトル拡散通信ネットワークにおいてパケットデータの送信サービスを行うシステムであって、
前記システムは、基地局と、移動端末と、を備え、
基地局は、ダウンリンク通信チャネルを介して指示メッセージをセルに送信するように構成されており、前記指示メッセージは前記移動端末が利用可能なパケットデータ送信サービスを通知するものであり、
前記移動端末は、前記通信チャネルにおいて前記指示メッセージをモニタリングするように構成されており、前記指示メッセージを受信すると、アップリンクコンテンションチャネルを介して前記指示メッセージの検出を前記基地局に対して知らせ、
前記基地局は、コンテンションが終了すると、前記通信チャネルを介して前記移動端末に対してパケットデータ送信サービスのコンフィギュレーション情報を送信するように構成されているシステム。
【請求項１６】
前記移動端末は携帯電話からなるものであることを特徴とする請求項１５に記載のシステム。
【請求項１７】
スペクトル拡散通信ネットワークにおいてパケットデータの送信サービスを行い、基地局と、移動端末と、を備えるシステムにおける前記基地局であって、
基地局は、ダウンリンク通信チャネルを介して指示メッセージをセルに送信するように構成されており、前記指示メッセージは前記移動端末が利用可能なパケットデータ送信サービスを通知するものであり、
前記移動端末は、前記通信チャネルにおいて前記指示メッセージをモニタリングするように構成されており、前記指示メッセージを受信すると、アップリンクコンテンションチャネルを介して前記指示メッセージの検出を前記基地局に対して知らせ、
前記基地局は、コンテンションが終了すると、前記通信チャネルを介して前記移動端末に対してパケットデータ送信サービスのコンフィギュレーション情報を送信するように構成されている基地局。
【発明の詳細な説明】
【技術分野】
【０００１】
本発明は、スペクトル拡散通信ネットワークにおける移動局へのダウンリンク・パケット・アクセス・サービスの提供に関する。本発明は、第三世代パートナーシッププロジェクト（３ＧＰＰ）により開発された３ＧＰＰ−ＬＴＥ標準に適合する通信ネットワークにおいて、ユーザー機器に対して、そのようなサービスを提供するのに適しており、この例示的かつ非限定的な用途に関連して、本発明を記述することが適当である。
【背景技術】
【０００２】
高速ダウンリンク・パケット・アクセス（ＨＳＤＰＡ）のようなパケット通信における近年の進歩により、さらには、アップリンク技術の進歩により、３ＧＰＰ無線接続技術は極めて競争が激しくなっている。当該技術における競争が長く続くことを確実にするために、３ＧＰＰ無線接続技術の長期的な展開が進められている。この新しい技術はスーパー３Ｇとして知られている。
【０００３】
このスーパー３Ｇ技術の長期的な展開の重要部分としては、無線接続ネットワーク（ＲＡＮ）における待ち時間の低減、ユーザーのデータ転送速度の上昇、システムの能力及び通信可能範囲の改良、ネットワーク提供者に対するコスト削減などがある。これらを実現するためには、無線ネットワーク・アーキテクチャとともに、無線インターフェイスの進化も考慮する必要がある。この進化の目的とするところは、フレームワークを開発し、高いデータ転送速度、短い待ち時間、パケットを最適化した無線アクセスを実現することにある。
【０００４】
スーパー３Ｇシステムの発展は、進化型ＨＳＤＰＡなどのＰＳドメイン、多重媒体放送同報サービス（Ｍｕｌｔｉｍｅｄｉａ  Ｂｒｏａｄｃａｓｔ  Ｍｕｌｔｉｃａｓｔ  Ｓｅｒｖｉｃｅｓ：ＭＢＭＳ）、高速アップリンクパケットアクセス（Ｈｉｇｈ  Ｓｐｅｅｄ  Ｕｐｌｉｎｋ  Ｐａｃｋｅｔ  Ａｃｃｅｓｓ：ＨＳＵＰＡ）、あるいは、ボイスオーバーＩＰ（Ｖｏｉｃｅ  Ｏｖｅｒ  ＩＰ）に代表される、他の同様なパケットスイッチ型サービスにより提供されるサービスの支援策として注目されてきた。
【発明の開示】
【発明が解決しようとする課題】
【０００５】
広域コード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システムにおける現存のＨＳＤＰＡサービスは、現在では、他の専用ＲＡＮサービスに依存した形で提供されている。この結果、プロトコールスタックの構造が極めて複雑なものになっており、さらに、ＷＣＤＭＡにおけるＨＳＤＰＡの発展を阻害するものとなっている。
【０００６】
このスーパー３Ｇシステムが発展することにより、進化型ＨＳＤＰＡや他の型式のパケットスイッチサービスが支援されることになると考えられる。しかしながら、ＷＣＤＭＡシステムのために開発された現在のＨＳＤＰＡ関連の手順を再使用すると、将来の３Ｇシステムが現在のＷＣＤＭＡ技術と結合し、さらに、将来の３Ｇシステムが機能的に現在のＷＣＤＭＡ技術に依存する状態に至るおそれがある。この相互依存性の結果として、さらに複雑なＲＡＮアーキテクチャがもたらされることが予想され、これにより、さらに、スーパー３Ｇシステムの設計、製作及び作動のコストが上げることとなる。
【０００７】
従って、ＲＡＮをベースとして考えた場合に、現在の３Ｇ−ＷＣＤＭＡシステムとは独立に作動可能であるように、進化型ＨＳＤＰＡサービスを将来のスーパー３Ｇシステムに導入することができるようにする必要性が存在する。さらに、ＨＳＤＰＡサービスの提供技術を改善するもしくは超えることができるように、進化型ＨＳＤＰＡサービスを提供する必要性も存在している。
【課題を解決するための手段】
【０００８】
本発明は、スペクトル拡散通信ネットワークにおいて移動端末に対してパケットデータの送信サービスを行う方法であって、基地局において、ダウンリンク通信チャネルを介して指示メッセージをセルに送信し、前記指示メッセージは前記移動端末が利用可能なパケットデータ送信サービスを通知するものであり、前記移動端末において、前記通信チャネルにおいて前記指示メッセージをモニタリングし、前記指示メッセージを受信すると、アップリンクコンテンションチャネルを介して前記指示メッセージの検出を前記基地局に対して知らせ、前記基地局において、コンテンションが終了すると、前記通信チャネルを介して前記移動端末に対してパケットデータ送信サービスのコンフィギュレーション情報を送信する方法を提供する。
【０００９】
本発明に係る上記方法は、定期的に前記移動端末をアクティブ状態にし、前記指示メッセージ用の前記通信チャネルをモニターさせる過程と、前記指示メッセージが検出されないときには、前記移動端末を非アクティブ状態にする過程と、をさらに備えることができる。
【００１０】
本発明に係る上記方法は、前記基地局において、ダウンリンク共有制御チャネルを介して、前記移動端末に対して、前記パケットデータ送信サービスの制御情報を送信する過程をさらに備えることができる。
【００１１】
本発明に係る上記方法は、前記基地局において、ダウンリンク共有データチャネルを介して、前記移動端末に対して、前記パケットデータ送信サービスのデータを送信する過程をさらに備えることができる。
【００１２】
本発明に係る上記方法は、前記移動端末において、アップリンク共有スケジュールチャネルを介して、前記基地局に対して、チャネルの品質測定結果を送信し、情報を報知する過程をさらに備えることができる。
【００１３】
本発明に係る上記方法は、前記基地局から前記移動端末へのパケットデータ送信制御情報の送信を停止する過程と、前記移動端末において所定の時間内に前記パケットデータ送信制御情報を検出できないときに、パケットデータ送信サービスを終了する過程と、をさらに備えることができる。
【００１４】
本発明に係る上記方法は、前記基地局において、パケットデータ送信制御情報のパケットのヘッダに終了メッセージを挿入することにより、パケットデータ送信サービスを終了することを前記移動端末に報知する過程と、前記移動端末において前記終了メッセージを検出したときに、パケットデータ送信サービスを終了する過程と、をさらに備えることができる。
【００１５】
例えば、前記移動端末は携帯電話からなる。
【００１６】
本発明は、さらに、スペクトル拡散通信ネットワークにおいて移動端末に対してパケットデータの送信サービスを行うために基地局の作動を制御する方法であって、ダウンリンク通信チャネルを介して指示メッセージをセルに送信し、前記指示メッセージは前記移動端末が利用可能なパケットデータ送信サービスを通知するものであり、前記移動端末は、前記通信チャネルにおいて前記指示メッセージをモニタリングし、前記指示メッセージを受信すると、アップリンクコンテンションチャネルを介して前記指示メッセージの検出を前記基地局に対して知らせ、コンテンションが終了すると、前記通信チャネルを介して前記移動端末に対してパケットデータ送信サービスのコンフィギュレーション情報を送信する方法を提供する。
【００１７】
本発明に係る上記方法は、ダウンリンク共有制御チャネルを介して、前記移動端末に対して、前記パケットデータ送信サービスの制御情報を送信する過程をさらに備えることができる。
【００１８】
本発明に係る上記方法は、ダウンリンク共有データチャネルを介して、前記移動端末に対して、前記パケットデータ送信サービスのデータを送信する過程をさらに備えることができる。
【００１９】
本発明に係る上記方法は、前記移動端末へのパケットデータ送信制御情報の送信を停止する過程と、前記移動端末において所定の時間内に前記パケットデータ送信制御情報を検出できないときに、パケットデータ送信サービスを終了する過程と、をさらに備えることができる。
【００２０】
本発明に係る上記方法は、パケットデータ送信制御情報のパケットのヘッダに終了メッセージを挿入することにより、パケットデータ送信サービスを終了することを前記移動端末に報知する過程と、前記移動端末において前記終了メッセージを検出したときに、パケットデータ送信サービスを終了する過程と、をさらに備えることができる。
【００２１】
本発明は、さらに、上記の方法を、基地局内に設置されたコンピュータに実行させるためのプログラムを提供する。
【００２２】
本発明は、さらに、スペクトル拡散通信ネットワークにおいてパケットデータの送信サービスを行うシステムであって、前記システムは、基地局と、移動端末と、を備え、基地局は、ダウンリンク通信チャネルを介して指示メッセージをセルに送信するように構成されており、前記指示メッセージは前記移動端末が利用可能なパケットデータ送信サービスを通知するものであり、前記移動端末は、前記通信チャネルにおいて前記指示メッセージをモニタリングするように構成されており、前記指示メッセージを受信すると、アップリンクコンテンションチャネルを介して前記指示メッセージの検出を前記基地局に対して知らせ、前記基地局は、コンテンションが終了すると、前記通信チャネルを介して前記移動端末に対してパケットデータ送信サービスのコンフィギュレーション情報を送信するように構成されているシステムを提供する。
【００２３】
上記のシステムにおいては、前記移動端末は携帯電話からなるものとすることができる。
【００２４】
本発明は、さらに、スペクトル拡散通信ネットワークにおいてパケットデータの送信サービスを行い、基地局と、移動端末と、を備えるシステムにおける前記基地局であって、基地局は、ダウンリンク通信チャネルを介して指示メッセージをセルに送信するように構成されており、前記指示メッセージは前記移動端末が利用可能なパケットデータ送信サービスを通知するものであり、前記移動端末は、前記通信チャネルにおいて前記指示メッセージをモニタリングするように構成されており、前記指示メッセージを受信すると、アップリンクコンテンションチャネルを介して前記指示メッセージの検出を前記基地局に対して知らせ、前記基地局は、コンテンションが終了すると、前記通信チャネルを介して前記移動端末に対してパケットデータ送信サービスのコンフィギュレーション情報を送信するように構成されている基地局を提供する。
【００２５】
以下、図面を参照して、本発明を説明する。以下の説明においては、高速ダウンリンク・パケット・アクセス（ＨＳＤＰＡ）サービスを提供する方法及びシステムの好適な実施形態が示される。なお、本発明は図面に示された特定の実施形態に制限して解釈されるべきものではない。
【発明を実施するための最良の形態】
【００２６】
図面を参照して、本発明の好適な実施形態を以下に説明する。
【００２７】
図１を参照すると、スペクトル拡散通信システム１００は、無線送信タワー１０４と機能的に接続されている基地送受信局（ＢＴＳ）１０２と、ユーザー機器（ＵＥ）１０８と、を備えている。
【００２８】
例えば、ユーザー機器１０８は携帯電話から構成されている。
【００２９】
基地送受信局（ＢＴＳ）１０２及び無線送信タワー１０４は、３ＧＰＰにより開発されたスーパー３Ｇシステムに適合する通信ネットワーク（スーパー３Ｇネットワーク）１０６に機能的に接続されている。
【００３０】
基地送受信局１０２は、ユーザー機器１０８が通信セル１１０内にあるときに、ユーザー機器１０８と通信を行う。チャネル構造１１２によって高速ダウンリンク・パケット・アクセス（ＨＳＤＰＡ）の提供がなされている間において、基地送受信局１０２とユーザー機器１０８との間で制御情報及び制御データの交換が行われる。チャネル構造１１２には、ダウンリンク（ＤＬ）通信チャネル１１４と、アップリンク（ＵＬ）反転チャネル（コンテンション）１１６と、ダウンリンク（ＤＬ）共有制御チャネル１１８と、ダウンリンク（ＤＬ）共有データチャネル１２０と、アップリンクスケジュールチャネル（共有制御チャネル及び物理的制御チャネル）１２２とが含まれる。
【００３１】
例えば、基地送受信局１０２は、中央処理装置（ＣＰＵ）と、第一メモリと、第二メモリと、中央処理装置に命令及び／またはデータを入力するための入力インターフェイスと、中央処理装置によりなされた処理の結果を出力する出力インターフェイスと、中央処理装置と第一メモリ、第二メモリ、入力インターフェイス及び出力インターフェイスの各々とを電気的に接続するバスと、から構成されている。
【００３２】
第一メモリ及び第二メモリの各々は、リード・オンリ・メモリ（ＲＯＭ）、ランダム・アクセス・メモリ（ＲＡＭ）またはＩＣメモリカードなどの半導体メモリ、あるいは、フレキシブルディスク、ハードディスクまたは光学磁気ディスクなどの記憶装置から構成されている。
【００３３】
例えば、第一メモリはリード・オンリ・メモリ（ＲＯＭ）からなり、第二メモリはランダム・アクセス・メモリ（ＲＡＭ）からなる。
【００３４】
第一メモリは、基地送受信局１０２の動作を制御して、スペクトル拡散通信システムにおいてユーザー機器１０８に対してパケットデータ送信サービスを行う方法を中央処理装置に実行させるためのプログラムを内蔵している。第二メモリは各種データ及びパラメータを記憶しており、さらに、中央処理装置に対して作業領域を提供する。中央処理装置は第一メモリから上記のプログラムを読み出し、実行する。すなわち、中央処理装置は第一メモリに記憶されているプログラムに従って作動する。
【００３５】
図２を参照すると、ユーザー機器１０８が通信セル１１０内を移動しているとき、基地送受信局１０２及びユーザー機器１０８の双方は、ステップ２００において、ユーザー機器１０８がスーパー３Ｇネットワーク１０６に対して登録を行い、それによって、基地送受信局１０２がユーザー機器１０８と直接的に通信可能になるように、動作する。
【００３６】
ステップ２０２において、基地送受信局１０２は同期チャネル／共通パイロットチャネルを介してユーザー機器１０８に対して同期情報を送信し、ユーザー機器１０８が、データパケットとしてユーザー機器１０８に送信された関連情報を検出することができるようにする。
【００３７】
ステップ２０２において同期情報を受信すると、ユーザー機器１０８は、ステップ２０４において、セルサーチ、フレームタイミングの検出、シンボルタイミング及びスクランブリングコード検出の各機能をＷＣＤＭＡ技術に従って実行し、スーパー３Ｇネットワーク１０６とユーザー機器１０８との間において通信を確立させる。
【００３８】
ＨＳＤＰＡサービスをユーザー機器１０８に対して提供する場合、ステップ２０６において、指示メッセージを全てのセル１１０に対して送信する準備がなされる。この指示メッセージは、特定のユーザー機器ＩＤ番号を用いてユーザー機器１０８によって復号可能かつ特定可能であるようにコード化されている。特定のユーザー機器ＩＤ番号は、ステップ２００において、スーパー３Ｇネットワーク１０６からユーザー機器１０８に対して割り当てられる。この指示メッセージは、ユーザー機器１０８が利用可能なＨＳＤＰＡサービスをユーザー機器１０８に対して報知する役割を果たす。
【００３９】
次いで、ステップ２０８において、このコード化された情報はダウンリンク通信チャネル１１４（一組のサブキャリア）に流され、ユーザー機器１０８は、ステップ２００において、スーパー３Ｇネットワーク１０６に対して登録を行うと、ダウンリンク通信チャネル１１４を知らされる。
【００４０】
ステップ２１０において、ユーザー機器１０８は、予め定められた期間を除いて、通常は非活性状態（睡眠状態）にある。予め定められた期間とは、ステップ２１２において、ユーザー機器１０８が、基地送受信局１０２から送信される指示メッセージを受信すべくダウンリンク通信チャネル１１４をモニターするために、活性状態（起床状態）にある期間である。
【００４１】
指示メッセージを検出できない場合には、ユーザー機器１０８は再度、非活性状態になる。
【００４２】
これに対して、指示メッセージが検出された場合には、ユーザー機器１０８は指示メッセージを処理し、さらに、コンテンションアプローチを用いて、アップリンク反転チャネル１１６を介して、基地送受信局１０２に対して、指示メッセージを検出した旨の受信通知２１４を送信する。受信通知２１４を送信するアップリンク反転チャネルの情報は指示メッセージにおいてユーザー機器１０８に示される。
【００４３】
基地送受信局１０２は、ステップ２１６において、受信通知２１４の有無を確認するためにアップリンク反転チャネル１１６をモニターする。
【００４４】
ユーザー機器１０８から受信通知２１４を受け取ると、基地送受信局１０２はコンテンションの完了をユーザー機器１０８に通知し、次いで、ダウンリンク通信チャネル１１４を介して、予め割り当てられた時間に、かつ、予め割り当てられた頻度で、ＲＡＮ・ＨＳＤＰＡサービスコンフィギュレーション情報２１８の送信準備を開始し、送信を行う。このダウンリンク通信チャネル１１４は、指示メッセージの受信通知２１４を以前に送信したユーザー機器１０８のみがモニターすることができる。
【００４５】
コンテンションが成功裏に完了すると、ユーザー機器１０８は、ステップ２２０において、コンテンション完了後の予め定められた時間に、ダウンリンク通信チャネル１１４を介して、情報を受信する準備を行う。このチャネルを介して受信されるコンフィギュレーション情報は、ユーザー機器１０８がレイヤ１（物理レイヤ）、レイヤ２（媒体アクセス制御／無線リンク制御）及びレイヤ３（無線リソース制御レイヤ）の各コンフィギュレーションを実行し、ダウンリンク共有制御チャネル１１８をモニターする際の手助けとなり、これにより、ハイブリッド自動反復要求（ＨＡＲＱ：Ｈｙｂｒｉｄ  Ａｕｔｏｍａｔｉｃ  Ｒｅｐｅａｔ  Ｒｅｑｕｅｓｔ）に関連する機能が形成されるとともに、チャネルの品質測定の実行及び報告が行われる。
【００４６】
ステップ２２０においてコンフィギュレーションが一旦生じると、ユーザー機器１０８は、ステップ２２２において、チャネルの品質測定を開始するとともに、ダウンリンク共有制御チャネル１１８をモニタリングし、ユーザー機器１０８に対する高速シグナリングと、ダウンリンク共有データチャネル１２０を介して情報を受信するための現時点でのＨＳＤＰＡ関連手順とを検出する。
【００４７】
このように、予め定められたスケジュールに従って、ユーザー機器１０８から基地送受信局１０２に対してチャネル品質情報（ＣＱＩ）２２４が送信され、ダウンリンク共有データチャネル１２０においてどの頻度チャンク（ｆｒｅｑｕｅｎｃｙ  ｃｈｕｎｋ）が、その特定のユーザー機器１０８が頻度スケジュールを最適化するのにもっとも適切であるかについての情報が基地送受信局１０２に提供される。
【００４８】
チャネル品質情報２２４はアップリンクスケジュールチャネル１２２を介して送信される。一旦、基地送受信局１０２が最初のチャネル品質情報２２４を受信すると、基地送受信局１０２は、ステップ２２６において、チャネルスケジューリングを行い、ダウンリンク共有制御チャネル１１８を介して、高速シグナリング情報２２８をユーザー機器１０８に対して送信する。
【００４９】
次いで、それに対応するパケットデータ２３０がダウンリンク共有データチャネル１２０を介してユーザー機器１０８に送信される。ステップ２３２において、ユーザー機器１０８は、割り当てられた時間−頻度のスロットでダウンリンク共有制御チャネル１１８のモニタリングを継続する。
【００５０】
一旦、ユーザー機器１０８が自らに向けられた制御情報を検出すると、ユーザー機器１０８は、ダウンリンク共有データチャネル１２０を介して送信されてきたパケットデータ２３０の受信及び復号を開始する。
【００５１】
次いで、対応するアップリンクスケジュールチャネル１２２を介して、データパケット受領の結果（Ｈ−ＡＲＱ処理に対するＡＣＫ／ＮＡＣＫ／ＰＯＳＴ／ＰＲＥ／ＤＴＸ）が基地送受信局１０２に報告される。
【００５２】
同様に、ダウンリンクパケットスケジューリングに対するチャネル品質情報（ＣＱＩ）２３６が再びアップリンクスケジュールチャネル１２２を介して送信される。
【００５３】
ステップ２３８において、一旦、Ｈ−ＡＲＱフィードバック情報及びチャネル品質情報が受信されると、基地送受信局１０２は、各ユーザー機器１０８に対して、適応変調及びコード化（ＡＭＣ：Ａｄａｐｔｉｖｅ  Ｍｏｄｕｌａｔｉｏｎ  ａｎｄ  Ｃｏｄｉｎｇ）、スケジューリング並びに再送信を実行する。再送信は、ユーザー機器１０８からＮＡＣＫメッセージを受信したときに、行われる。
【００５４】
次いで、ＨＳＤＰＡサービスがユーザー機器１０８に対して提供されている間、上記のステップ２２８−２３８は基地送受信局１０２及びユーザー機器１０８の双方において繰り返される。
【００５５】
ユーザー機器１０８に対して提供されていたＨＳＤＰＡサービスが一旦終了すると、基地送受信局１０２は、ステップ２４０において、ダウンリンク共有制御チャネル１１８を介してユーザー機器１０８に対して送信されていた制御情報の送信を停止するようにすることもできる。
【００５６】
この場合には、ユーザー機器１０８が、ステップ２４２において、所定の時間内にＨＳＤＰＡ制御情報の検出を行えないときには、ＨＳＤＰＡサービスは終了し、ユーザー機器１０８は再び非活性状態になる。
【００５７】
あるいは、ＨＳＤＰＡサービスは、ダウンリンク共有データチャネル１２０を介してユーザー機器１０８に送信されるＨＳＤＰＡ制御情報パケットのヘッダに終了メッセージを挿入することにより、終了させることもできる。ユーザー機器１０８が終了メッセージを検出すると、ＨＳＤＰＡサービスは終了するようにすることができる。
【００５８】
以上の説明から明らかであるように、ユーザー機器に対してＨＳＤＰＡサービスを提供する上記の方法は、現在のＷＣＤＭＡネットワークにおいて使用されているような専用のデータチャネルの使用を必要とすることなく、ＨＳＤＰＡサービスに対する特定のページング手順及び特定のページング指示を導入するという利点をもたらす。
【００５９】
さらに、上述の方法は、スリープモードを導入することにより、スーパー３Ｇタイプのユーザー機器の使用時の電力を低減することを可能にする。現在のＷＣＤＭＡシステムにおける専用チャネルに依存することなく、新しいチャネルを導入することにより、無線リソース制御（ＲＲＣ：Ｒａｄｉｏ  Ｒｅｓｏｕｒｃｅ  Ｃｏｎｔｒｏｌ）レイヤのピア−ピア（ｐｅｅｒ  ｔｏ  ｐｅｅｒ）通信を確立することができる。
【００６０】
また、無線インターフェイスレベルにおいてパケット送信スキームを導入することにより、基地送受信局１０２とユーザー機器１０８との間のエアインターフェイスを介するトラフィック交換を最小にしつつ、基地送受信局１０２が一時的に、あるいは、永久的にダウンリンクパケット送信を終了させることができるようになる。
【００６１】
最後に、スペクトル拡散通信ネットワークにおいてユーザー機器に対して高速ダウンリンクパケットアクセスサービスを提供する上記の方法には、本発明の要旨を逸脱することなく、種々の変形及び追加を行うことが可能である。
【図面の簡単な説明】
【００６２】
【図１】図１は、基地送信局からユーザーの機器に対してＨＳＤＰＡサービスを提供するスペクトル拡散通信システムを概略図である。
【図２】図２は、ＨＳＤＰＡサービスの報知、受信通知、実行及び終了の間に基地送受信局及びユーザー機器の双方においてなされる過程を示すタイミング図である。
【図１】
2009506581.tif 000003
【図２】
2009506581.tif 000004
【国際調査報告】
2009506581.tif 000005
2009506581.tif 000006